【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
光を反射または透過する光学部品の表面を被覆する透明導電膜と、  該透明導電膜の抵抗値を検出する抵抗値検出部と、  前記透明導電膜の温度に対する抵抗値の特性である電気的な温度特性を記憶する特性記憶部と、  該特性記憶部に記憶された前記透明導電膜の電気的な温度特性と、前記抵抗値検出部により検出された前記透明導電膜の抵抗値とに基づいて前記透明導電膜に供給する電源を制御する制御部と、  前記特性記憶部に記憶された前記透明導電膜の電気的な温度特性としての温度に対する抵抗値の特性を更新する温度特性更新部とを備える光学部品の防曇システム。
【請求項２】
前記特性記憶部が、前記透明導電膜の抵抗値と、該抵抗値が測定された際の前記透明導電膜の温度と、温度変化に対する前記透明導電膜の抵抗温度係数とを記憶し、  前記温度特性更新部は、前記透明導電膜の温度を検出する温度センサを備え、前記透明導電膜が熱平衡状態にあるときに、前記特性記憶部に記憶されている前記透明導電膜の温度および抵抗値を、前記温度センサにより検出された前記透明導電膜の温度とその時点の前記透明導電膜の抵抗値とに更新する請求項１に記載の光学部品の防曇システム。
【請求項３】
前記透明導電膜の熱平衡状態を判定する熱平衡状態判定部を備え、  該熱平衡状態判定部により前記透明導電膜が熱平衡状態であると判定されたときに前記温度センサにより検出した前記透明導電膜の温度と前記抵抗値検出部により検出された前記透明導電膜の抵抗値とを前記特性記憶部に記憶する請求項２に記載の光学部品の防曇システム。
【請求項４】
前記熱平衡状態判定部は、前記温度センサにより検出された前記透明導電膜の温度が平衡状態になったときに前記透明導電膜が熱平衡状態であると判定する請求項３に記載の光学部品の防曇システム。
【請求項５】
前記熱平衡状態判定部は、前記抵抗値検出部により検出された前記透明導電膜の抵抗値が平衡状態になったときに前記透明導電膜が熱平衡状態であると判定する請求項３に記載の光学部品の防曇システム。
【請求項６】
前記熱平衡状態判定部は、前記透明導電膜への電圧の供給停止から所定時間経過後に前記透明導電膜が熱平衡状態であると判定する請求項３に記載の光学部品の防曇システム。
【請求項７】
前記制御部は、前記透明導電膜への電圧の供給による前記光学部品の加温中において、前記抵抗値検出部による前記透明導電膜の抵抗値の検出タイミングで、前記透明導電膜に加える電圧を、前記透明導電膜の加温時に該透明導電膜に加える電圧よりも低く制御する請求項１に記載の光学部品の防曇システム。
【請求項８】
前記制御部は、前記前記透明導電膜を加温する目標温度と、前記特性記憶部に記憶された前記透明導電膜の温度との差分を求め、求められた差分に、前記特性記憶部に記憶された抵抗温度係数を乗算して抵抗値変化量を求め、求められた抵抗値変化量に前記特性記憶部に記憶された前記透明導電膜の抵抗値を加算することにより、前記透明導電膜の目標抵抗値を求める請求項２から請求項６のいずれかに記載の光学部品の防曇システム。
【請求項９】
前記透明導電膜が、酸化インジウムおよび酸化錫を含む化合物、酸化錫、酸化チタンまたは酸化亜鉛である請求項１から請求項８のいずれかに記載の光学部品の防曇システム。
【請求項１０】
口腔内に向けられ、光を反射または透過する光学部品と、  該光学部品の表面を被覆する透明導電膜と、  該透明導電膜の抵抗値を検出する抵抗値検出部と、  前記透明導電膜の温度に対する抵抗値の特性である電気的な温度特性を記憶する特性記憶部と、  該特性記憶部に記憶された前記透明導電膜の電気的な温度特性と、前記抵抗値検出部により検出された前記透明導電膜の抵抗値とに基づいて前記透明導電膜に供給する電源を制御する制御部と、  前記特性記憶部に記憶された前記透明導電膜の電気的な温度特性としての温度に対する抵抗値の特性を更新する温度特性更新部とを備える光学部品の防曇システム。
【請求項１１】
光を反射または透過する光学部品の表面を被覆する透明導電膜の抵抗値を検出する抵抗値検出過程と、  前記透明導電膜の温度に対する抵抗値の特性である電気的な温度特性を記憶する特性記憶過程と、  該特性記憶過程で記憶された前記透明導電膜の電気的な温度特性と、前記抵抗値検出過程で検出された前記透明導電膜の抵抗値とに基づいて前記透明導電膜に供給する電源を制御する制御過程と、  記憶された前記透明導電膜の電気的な温度特性としての温度に対する抵抗値の特性を更新する温度特性更新過程とを備える光学部品の防曇方法。
【手続補正２】
【補正対象書類名】明細書
【補正対象項目名】発明の名称
【補正方法】変更
【補正の内容】
【発明の名称】光学部品の防曇システムおよび防曇方法
【手続補正３】
【補正対象書類名】明細書
【補正対象項目名】０００１
【補正方法】変更
【補正の内容】
【０００１】  本発明は、光学部品の防曇システムおよび防曇方法に関するものである。
【手続補正４】
【補正対象書類名】明細書
【補正対象項目名】０００４
【補正方法】変更
【補正の内容】
【０００４】  本発明は上述した事情に鑑みてなされたものであって、透明導電膜の抵抗値の経時変化にかかわらず、光学部品の十分な防曇効果を達成することができる光学部品の防曇システムおよび防曇方法を提供することを目的としている。
【手続補正５】
【補正対象書類名】明細書
【補正対象項目名】０００５
【補正方法】変更
【補正の内容】
【０００５】  上記目的を達成するために、本発明は以下の手段を提供する。  本発明は、光を反射または透過する光学部品の表面を被覆する透明導電膜と、該透明導電膜の抵抗値を検出する抵抗値検出部と、前記透明導電膜の温度に対する抵抗値の特性である電気的な温度特性を記憶する特性記憶部と、該特性記憶部に記憶された前記透明導電膜の電気的な温度特性と、前記抵抗値検出部により検出された前記透明導電膜の抵抗値とに基づいて前記透明導電膜に供給する電源を制御する制御部と、前記特性記憶部に記憶された前記透明導電膜の電気的な温度特性としての温度に対する抵抗値の特性を更新する温度特性更新部とを備える光学部品の防曇システムを提供する。
【手続補正６】
【補正対象書類名】明細書
【補正対象項目名】０００９
【補正方法】変更
【補正の内容】
【０００９】  上記発明においては、前記特性記憶部が、前記透明導電膜の抵抗値と、該抵抗値が測定された際の前記透明導電膜の温度と、温度変化に対する前記透明導電膜の抵抗温度係数とを記憶し、前記温度特性更新部は、前記透明導電膜の温度を検出する温度センサを備え、前記透明導電膜が熱平衡状態にあるときに、前記特性記憶部に記憶されている前記透明導電膜の温度および抵抗値を、前記温度センサにより検出された前記透明導電膜の温度とその時点の前記透明導電膜の抵抗値とに更新することとしてもよい。  このようにすることで、必要に応じてまたは定期的に温度特性更新部を作動させることにより、透明導電膜の温度特性が更新される。
【手続補正７】
【補正対象書類名】明細書
【補正対象項目名】００１１
【補正方法】変更
【補正の内容】
【００１１】  また、上記発明においては、前記透明導電膜の熱平衡状態を判定する熱平衡状態判定部を備え、該熱平衡状態判定部により前記透明導電膜が熱平衡状態であると判定されたときに前記温度センサにより検出した前記透明導電膜の温度と前記抵抗値検出部により検出された前記透明導電膜の抵抗値とを前記特性記憶部に記憶することとしてもよい。  このようにすることで、熱平衡状態判定部の作動により、透明導電膜の熱平衡状態が判定され、温度特性記憶部における温度特性が自動的に更新される。したがって、光学部品を含む装置の非使用時等の熱平衡状態において温度特性を較正しておくことができ、使用時には精度よく温度を調節して光学部品の曇りを防止することができる。
【手続補正８】
【補正対象書類名】明細書
【補正対象項目名】００１２
【補正方法】変更
【補正の内容】
【００１２】  また、上記発明においては、前記熱平衡状態判定部は、前記温度センサにより検出された前記透明導電膜の温度が平衡状態になったときに前記透明導電膜が熱平衡状態であると判定することとしてもよい。  また、上記発明においては、前記熱平衡状態判定部は、前記抵抗値検出部により検出された前記透明導電膜の抵抗値が平衡状態になったときに前記透明導電膜が熱平衡状態であると判定することとしてもよい。  また、上記発明においては、前記熱平衡状態判定部は、前記透明導電膜への電圧の供給停止から所定時間経過後に前記透明導電膜が熱平衡状態であると判定することとしてもよい。
【手続補正９】
【補正対象書類名】明細書
【補正対象項目名】００１３
【補正方法】変更
【補正の内容】
【００１３】  また、上記発明においては、前記制御部は、前記透明導電膜への電圧の供給による光学部品の加温中において、前記抵抗値検出部による前記透明導電膜の抵抗値の検出タイミングで、前記透明導電膜に加える電圧を、前記透明導電膜の加温時に該前記透明導電膜に加える電圧よりも低く制御することとしてもよい。  このようにすることで、抵抗値の検出中における透明導電膜の加温を抑制し、温度制御を容易にすることができる。
【手続補正１０】
【補正対象書類名】明細書
【補正対象項目名】００１４
【補正方法】変更
【補正の内容】
【００１４】  また、上記発明においては、前記制御部は、前記透明導電膜を加温する目標温度と、前記特性記憶部に記憶された前記透明導電膜の温度との差分を求め、求められた差分に、前記特性記憶部に記憶された抵抗温度係数を乗算して抵抗値変化量を求め、求められた抵抗値変化量に前記特性記憶部に記憶された前記透明導電膜の抵抗値を加算することにより、前記透明導電膜の目標抵抗値を求めることとしてもよい。
【手続補正１１】
【補正対象書類名】明細書
【補正対象項目名】００１６
【補正方法】変更
【補正の内容】
【００１６】  また、上記発明においては、前記透明導電膜が、酸化インジウムおよび酸化錫を含む化合物、酸化錫、酸化チタンまたは酸化亜鉛であることとしてもよい。  このようにすることで、ガラス上に透明導電膜を形成した場合にも、前記透明導電膜が温度変化に対し良好な抵抗値変化を示し、温度を精度よく調節して光学部品の曇りを防止することができる。  また、本発明は、口腔内に向けられ、光を反射または透過する光学部品と、該光学部品の表面を被覆する透明導電膜と、該透明導電膜の抵抗値を検出する抵抗値検出部と、前記透明導電膜の温度に対する抵抗値の特性である電気的な温度特性を記憶する特性記憶部と、該特性記憶部に記憶された前記透明導電膜の電気的な温度特性と、前記抵抗値検出部により検出された前記透明導電膜の抵抗値とに基づいて前記透明導電膜に供給する電源を制御する制御部と、前記特性記憶部に記憶された前記透明導電膜の電気的な温度特性としての温度に対する抵抗値の特性を更新する温度特性更新部とを備える光学部品の防曇システムを提供する。  さらに、本発明は、光を反射または透過する光学部品の表面を被覆する透明導電膜の抵抗値を検出する抵抗値検出過程と、前記透明導電膜の温度に対する抵抗値の特性である電気的な温度特性を記憶する特性記憶過程と、該特性記憶過程で記憶された前記透明導電膜の電気的な温度特性と、前記抵抗値検出過程で検出された前記透明導電膜の抵抗値とに基づいて前記透明導電膜に供給する電源を制御する制御過程と、記憶された前記透明導電膜の電気的な温度特性としての温度に対する抵抗値の特性を更新する温度特性更新過程とを備える光学部品の防曇方法を提供する。
【手続補正１２】
【補正対象書類名】明細書
【補正対象項目名】００２０
【補正方法】変更
【補正の内容】
【００２０】  また、透明導電膜２は、温度変化によってその抵抗値が変化するようになっている。例えば、温度が２０℃から２１℃に変化する場合には、７０Ω×６００×１０−６＝０．０４２Ω／℃の抵抗値変化量で抵抗値が増加するので、２１℃では７０．０４２Ωとなる。ここで、透明導電膜２の抵抗温度係数（例えば，６００ｐｐｍ／℃）は経時的に変化せず、常に同一の抵抗温度係数の値を用いて抵抗値を演算することができる。一方、透明導電膜２の所定の温度に対する抵抗値は、経時的に変化する。したがって、後述するように較正を行う必要がある。  なお、透明導電膜２としては、温度変化に対し良好な抵抗値変化を示す材料を用いることが好ましい。具体的には、酸化インジウムおよび酸化錫からなる化合物、酸化錫、酸化チタンまたは酸化亜鉛等が挙げられる。
【手続補正１３】
【補正対象書類名】明細書
【補正対象項目名】００２５
【補正方法】変更
【補正の内容】
【００２５】  次いで、温度制御装置３内の抵抗値検出部５の作動により、透明導電膜２の抵抗値が検出される（ステップＳ３）。抵抗値の検出は、電圧制御部７を介して透明導電膜２に対して所定の電圧を加え、流れる電流を検出することにより行うことができる。図中、符号１２は透明導電膜２に流れる電流を検出する電流検出部である。あるいは、透明導電膜２に所定の電流を加え、透明導電膜２の両端の電圧を電圧検出部（図示略）によって検出することにより行うことができる。
【手続補正１４】
【補正対象書類名】明細書
【補正対象項目名】００２９
【補正方法】変更
【補正の内容】
【００２９】  また、本実施形態においては、電圧制御部７は、温度制御時に透明導電膜２に供給する電圧を、例えば、５Ｖに設定し、抵抗値検出時に供給する電圧を、例えば、０．５Ｖに設定している。これにより、抵抗値検出時における透明導電膜２の加温を抑制し、温度制御を容易にすることができる。また、抵抗値検出時は、電圧を０．５Ｖとし、かつ、抵抗値検出時間のデューティ比を１０００分の１としているため、消費電力を低減することができる。